(57)【要約】      （修正有）【課題】開閉バーを握って安全杆等への掛け止め掛け外しを行う場合であっても、指に抵触することなく、スムーズな掛け止め掛け外しができる安全帯のロープ用フックを提供する。また、より少ない動作で安全杆等への掛け止め掛け外しができる安全帯のロープ用フックを提供する。【解決手段】鉤状部１と、鉤状部の開口部を開閉するために前記鉤状部の上下両端に夫々基端を回動自在に取付けた相互に係止する開閉バー２，４とからなる安全帯のロープ用フックを提供する。また、一本の線のバネ素材８を屈曲して、屈曲部を握部とし、先端部に線を交差して小間隙を設けた二つの平行な鉤状部を構成した安全帯のロープ用フックを提供する。【選択図】図１
0003135752.tif 000002
【実用新案登録請求の範囲】
【請求項１】
一側部に開口部を有する鉤状部を設け、他側下端部にロープとの連結部を設けたフックにおいて、前記開口部を開閉する開閉の部材を設け、該開閉部材は、開口部外へ移動可能としたことを特徴とする安全帯のロープ用フック。
【請求項２】
開口部を有する鉤状部と、鉤状部の開口部を開閉するために該鉤状部の下端部に基端を回動自在に取付けた開閉バーとからなり、該開閉バーが、該開閉バーを握った時に鉤状部材の中心線のなす面に対して角度をなし、前記開閉バーの先端部と鉤状部材が横方向に重なるように軸を取付けたことを特徴とする安全帯のロープ用フック。
【請求項３】
開口部を有する鉤状部と、鉤状部の開口部を開閉するために前記鉤状部の上下両端部に夫々基端を回動自在に取付けた上側下側の開閉バーとからなり、前記上側下側の開閉バーは夫々の先端係止部を係止させ、前記下側の開閉バーが、該開閉バーを握った時に鉤状部材の中心線のなす面に対して角度をなし、前記下側の開閉バーの先端部と鉤状部材が横方向に重なるように軸を取付けたことを特徴とする安全帯のロープ用フック。
【請求項４】
請求項３記載の下側の開閉バーを握った時に開口部に安全杆又は安全ロープの通過可能な間隔があるようにしたことを特徴とする安全帯のロープ用フック。
【請求項５】
請求項３乃至請求項４記載の下側の開閉バーと、上側の開閉バーの先端係止部に軸方向移動自在のロック部材を嵌装したことを特徴とする安全帯のロープ用フック。
【請求項６】
開口部を有する鉤状部と、鉤状部の開口部を開閉するために該鉤状部の下端部に基端を回動自在に取付けた開閉バーと、前記鉤状部の上端係止部と、前記開閉バーの先端係止部に嵌装した軸方向移動自在のロック部材とからなり、前記開閉バーの取付け軸を、前記鉤状部材の中心線のなす面と平行に取付けたことを特徴とする安全帯のロープ用フック。
【請求項７】
開口部を有する鉤状部と、鉤状部の開口部を開閉するために該鉤状部の下端部に基端を回動自在に取付けた開閉バーとからなり、前記鉤状部の握部に、前記鉤状部材の中心線のなす面と平行に回動自在の連結部を設け、前記開閉バーの取付け軸が、前記鉤状部の中心軸線に対して角度をなし、前記下側の開閉バーを握った時に該開閉バーの先端部及び鉤状部が横方向に重なることを特徴とする安全帯のロープ用フック。
【請求項８】
一本の線のバネ素材を互いに平行方向になるように屈曲して、屈曲部を握部とし、該握部の先端の線を交差し、交差した線の先端側で夫々欠円状の二つの平行な鉤状部を構成し、前記各鉤状部は開口部が互いに向き合うようにして、前記各鉤状部の基部にリング部を設けて、一方の鉤状部の先端を他方の鉤状部のリング部に夫々係止可能に屈曲挿入したことを特徴とする安全帯のロープ用フック。
【考案の詳細な説明】
【技術分野】
【０００１】
本考案は、高所作業のなどのための安全帯に連結した命綱の先に取付けて、安全杆や安全ロープ等に掛け止めるために開口部の開閉部材（開閉バー）を可及的に大きく開くようにした安全帯のロープ用フックに関する。
【背景技術】
【０００２】
従来、高所作業のなどのための安全帯に連結した命綱の先に取付けて、安全杆や安全ロープ等に掛け止めるためのフックは、鉤状部の一端に開閉バーを回動可能に取付けていた。
【特許文献１】実開Ｈ２−１２３２５４号公報
【特許文献２】実開Ｈ２−１３１４６１号公報
【考案の開示】
【考案が解決しようとする課題】
【０００３】
従来の安全帯のロープ用フックは、開閉バーを握って該フックを安全杆等への掛け止め掛け外しを行う場合、指が開閉バーに覆い被さる状態となるため、安全杆等の大きさによっては指により鉤状部の開口部が狭くなり、安全杆等へスムーズに掛け止め掛け外しができないという問題点があった。
【０００４】
また、開閉バーを握らない場合であっても、開閉バーの開きが不十分で、開口部が狭くなり、スムーズな掛け止め掛け外しができないこともあった。
【０００５】
そして、安全帯のロープ用フックは、安全杆等への掛け止め掛け外し操作が容易なものが望ましかった。
【課題を解決するための手段】
【０００６】
本考案は、鉤状部の開閉バーの開き方を大きくとって、開口部を可及的に広くとるようにして、前記問題点を解決したのである。
【０００７】
本考案の安全帯のロープ用フックは、一側部に開口部を有する鉤状部を設け、他側下端部にロープとの連結部を設けたフックにおいて、前記開口部を開閉する開閉の部材を設け、該開閉部材は、開口部外へ移動可能としたことを特徴とする安全帯のロープ用フックである。
【０００８】
本考案の他の安全帯のロープ用フックは、開口部を有する鉤状部と、鉤状部の開口部を開閉するために該鉤状部の下端部に基端を回動自在に取付けた開閉バーとからなり、該開閉バーが、該開閉バーを握った時に鉤状部材の中心線のなす面に対して角度をなし、前記開閉バーの先端部と鉤状部材が横方向に重なるように軸を取付けたことを特徴とする安全帯のロープ用フックである。
【０００９】
本考案の他の安全帯のロープ用フックは、開口部を有する鉤状部と、鉤状部の開口部を開閉するために前記鉤状部の上下両端部に夫々基端を回動自在に取付けた上側下側の開閉バーとからなり、前記上側下側の開閉バーは夫々の先端係止部を係止させ、前記下側の開閉バーが、該開閉バーを握った時に鉤状部材の中心線のなす面に対して角度をなし、前記下側の開閉バーの先端部と鉤状部材が横方向に重なるように軸を取付けたことを特徴とする安全帯のロープ用フックである。
【００１０】
本考案の他の安全帯のロープ用フックは、前記フックのうち、下側の開閉バーを握った時に開口部に安全杆等の通過可能な間隔があるようにしたことを特徴とする安全帯のロープ用フックである。
【００１１】
また、本考案の他の安全帯のロープ用フックは、前記下側の開閉バーと、上側の開閉バーの先端係止部に軸方向移動自在のロック部材を嵌装したことを特徴とする安全帯のロープ用フックである。
【００１２】
次に、本考案の他の安全帯のロープ用フックは、開口部を有する鉤状部と、鉤状部の開口部を開閉するために該鉤状部の下端に基端を回動自在に取付けた開閉バーと、前記鉤状部の上端係止部と、前記開閉バーの先端係止部に嵌装した軸方向移動自在のロック部材とからなり、前記開閉バーの取付け軸を、前記鉤状部材の中心線のなす面と平行に取付けたことを特徴とする安全帯のロープ用フックである。
【００１３】
本考案の他の安全帯のロープ用フックは、開口部を有する鉤状部と、鉤状部の開口部を開閉するために該鉤状部の下端に基端を回動自在に取付けた開閉バーとからなり、前記鉤状部の握部に、前記鉤状部材の中心線のなす面と平行に回動自在の連結部を設け、前記開閉バーの取付け軸が、前記鉤状部の中心軸線に対して角度をなし、前記下側の開閉バーを握った時に該開閉バーの先端部及び鉤状部が横方向に重なることを特徴とする安全帯のロープ用フックである。
【００１４】
そして、本考案の他の安全帯のロープ用フックは、一本の線のバネ素材を互いに平行方向になるように屈曲して、屈曲部を握部とし、該握部の先端の線を交差し、交差した線の先端側で夫々欠円状の二つの平行な鉤状部を構成し、前記各鉤状部は開口部が互いに向き合うようにして、前記各鉤状部の基部にリング部を設けて、一方の鉤状部の先端を他方の鉤状体のリング部に夫々係止可能に屈曲挿入したことを特徴とする安全帯のロープ用フックである。
【考案の効果】
【００１５】
本考案の請求項１記載の安全帯のロープ用フックによれば、開閉部材を開口部外へ移動可能としたことで、開口部を可及的に広くとるようにして、従来品よりも直径の大きい安全杆等への掛け止め掛け外しが容易にできる効果がある。
【００１６】
本考案の請求項２記載の安全帯のロープ用フックによれば、開閉バーを握った時に該閉バーの先端部及び鉤状部が横方向に重なることで指の位置が低くなるため、安全杆等への掛け止めを行う際、従来品と同サイズであればより直径の大きい安全杆等への掛け止めが容易にでき、また、安全杆等からの掛け外しも容易にできる効果がある。
【００１７】
本考案の請求項３記載の安全帯のロープ用フックによれば、上側の開閉バーを安全杆等で押し上げて開口部を広くして通過させることで、請求項２記載の効果に加え、より直径の大きい安全杆等への掛け止めも容易にできる効果がある。
【００１８】
本考案の請求項４記載の安全帯のロープ用フックによれば、下側の開閉バーを握って安全杆等への掛け止めを行う場合、従来品より小さいサイズであっても、指により鉤状部の開口部を狭くすることなく、開口部を十分の大きさにできる効果がある。
【００１９】
本考案の請求項５記載の安全帯のロープ用フックによれば、下側の開閉バーと上側の開閉バーの先端係止部に軸方向移動自在のロック部材を嵌装したことで、請求項３乃至請求項４記載の安全帯のロープ用フックの効果に加え、安全杆への掛け止め時にロックを下側の開閉バーと上側の開閉バーの先端係止部に嵌装することで、確実に係止し、より安全になる効果がある。
【００２０】
本考案の請求項６記載の安全帯のロープ用フックによれば、開閉バーの取付け軸を、前記鉤状部材の中心線のなす面と並行に取付けたことで、開閉バーを握って安全杆又はロープへの掛け止め掛け外しを行う場合、指により鉤状部の開口部を狭くすることなく、開口部を十分の大きさにできる効果がある。
【００２１】
本考案の請求項７記載の安全帯のロープ用フックによれば、鉤状部の握部に、前記鉤状部材の中心線をなす面と平行に回動自在の連結部を設けたことで、開閉バーを開いた時に該開閉バーが鉤状部に接触せずに大きく傾けることができるため、従来品と同サイズであればより直径の大きい安全杆等への掛け止めも容易にできる効果がある。
【００２２】
本考案の請求項８記載の安全帯のロープ用フックによれば、握部を握って二つの鉤状部の間に安全杆等を通してフックを９０度回転するだけで安全杆等に掛け止めできるため、開口部に開閉バーを別途設ける必要がなく、開口部を広く取ることができ、より簡単に操作ができる効果がある。
【考案を実施するための最良の形態】
【００２３】
開口部を有する鉤状部と、該鉤状部の開口部を開閉するために前記鉤状部の上下両端に夫々基端を回動自在に取付けた二つの開閉バーと、前記下側の開閉バーと上側の開閉バーの先端係止部に嵌装した回転することで軸方向移動自在の筒型のロック部材とからなり、前記下側の開閉バーが、該開閉バーを握った時に鉤状部の中心線のなす面から２０度乃至４５度程度の角度をなし、前記下側の開閉バーの先端部及び鉤状部が横方向に重なるように軸を取付けたことを特徴とした安全帯のロープ用フックである。
【実施例１】
【００２４】
本考案の実施例を図１について説明すれば、安全帯のロープ用フックＡは、開口部を有する鉤状部１と、該鉤状部１の開口部を開閉するために前記鉤状部１の上下両端に夫々の基端を回動自在に取付けた上側下側の開閉バー２、４と、前記上側下側の開閉バー２、４に嵌装できる筒状のロック部材５とからなる。前記開閉バー２、４は、基端を前記鉤状部１の上下両端部に夫々軸３、３により回動自在に取付け、夫々の先端係止部２ａ、４ａを図１（ｄ）図示の通りに係止させた。また、前記下側の開閉バー２が、該開閉バー２を握った時に前記鉤状部１の中心線Ｌのなす面から１５度乃至４５度程度の角度をなし、前記下側の開閉バーを握った時に該開閉バーの先端部及び鉤状部１が横方向に重なるようにした。また、図１（ｃ）図示の通り、前記鉤状部１の下端の内部には板バネ８を固定し、下側の開閉バー２の基端に嵌めることで、前記開口部を閉塞する方向に付勢する（矢示９）ようにし、上側の開閉バー４も同様とした。そして、前記ロック部材５は、ねじにより軸方向を移動し、下側の開閉バー２と上側の開閉バー４の先端係止部に嵌る。ここで、前記ロック部材５は回転することで軸方向移動自在としたことを例示したが、弾性体により上方向に付勢するように下側の開閉バー２に嵌装してもよい。
【００２５】
前記実施例において、安全杆１０を掛け止める際、前記下側の開閉バー２を、前記下側の開閉バー２を握った時に該開閉バー２の先端部及び鉤状部１が横方向に重なるようにしたことで、下側の開閉バーを握った時に図１（ａ）図示の通り、手２０の指の外側位置が従来品より低くなり、また、前記上側の開閉バーを安全杆１０で押し上げて通過させることで、従来品と比較してより直径の大きな安全杆を掛け止めることができ、また、従来品と同サイズであれば、安全杆を通過させる際に指と接触(指が邪魔になる)することがなくなった。そして、安全杆１０を掛止している時は、係止させた先端係止部２ａ、４ａにロック部材５が嵌ることで、開口部が開くことなくより安全に作業を行うことが可能となった。
【実施例２】
【００２６】
本考案の実施例を図２について説明すれば、安全帯のロープ用フックＢは、開口部を有する鉤状部１１と、鉤状部の開口部を開閉するために該鉤状部１１の下端部に基端を回動自在に取付け、前記鉤状部の上端部に係止する開閉バー２と、前記開閉バー２と前記鉤状部１１の上端係止部にねじにより嵌装できる筒状のロック部材５とからなる。前記開閉バー２は、図中Ｍの角度が９０度となるよう前記開閉バー２の取付け軸３を前記鉤状部１１の中心線のなす面と平行に取付けたが、前記Ｍの角度は６０度から９０度の範囲であれば良い。また、前記鉤状部１１の下端の内部には実施例１同様板バネを固定し、前記開閉バー２の基端に嵌めることで、前記開口部を閉塞する方向に付勢するようにした。
【００２７】
前記実施例において、安全杆１０を掛け止める際、前記開閉バー２の取付け軸３を前記鉤状部１１の中心線のなす面と平行に取付けることで、開閉バー２を傾けた時に従来品のように該開閉バー２と鉤状部１１とが接触することがなく、大きく傾けられるため、結果として前記開閉バー２と安全杆１０とが抵触することもなくなり、より直径の大きな安全杆を掛け止めることができた。また、安全杆１０を掛止している時は、前記鉤状部１１の上端係止部に係止させた前記先端係止部２ａと前記上端係止部にロック部材５を嵌めることで、開口部が開くことなくより安全に作業を行うことが可能となった。
【実施例３】
【００２８】
本考案の実施例を図３について説明すれば、安全帯のロープ用フックＣは、開口部を有する鉤状部２１と、鉤状部の開口部を開閉するために該鉤状部２１の下端部に基端を回動自在に取付け、前記鉤状部２１の上端部に係止する開閉バー２と、前記開閉バー２と前記鉤状部２１の上端係止部にねじにより嵌装できる筒状のロック部材５とからなる。ここで、前記鉤状部の握部２１ａには、前記鉤状部２１の中心線のなす面と平行に回動自在の連結部６を設けた。さらに、前記鉤状部２１が、前記連結部６を支点として開き過ぎないように、前記連結部６にはストッパー７を設け、外側に３０度以上開かないようにした。また、前記開閉バー２が、該開閉バー２を握った時に前記鉤状部２１の中心線のなす面より１５度乃至４５度程度の角度をなし、前記開閉バー２の先端部及び鉤状部が横方向に重なるようにした。そして、前記鉤状部２１の下端の内部には実施例１同様板バネを固定し、前記開閉バー２の基端に嵌めることで、前記開口部を閉塞する方向に付勢するようにした。
【００２９】
前記実施例において、安全杆１０を掛け止める際、前記下側の開閉バー２を握った時に該開閉バー２の先端部及び鉤状部１が横方向に重なるようにしたことで、図１（ａ）図示の通り、手２０の指の外側の位置が従来品より低くなり、また、前記鉤状部の握部２１ａに、前記鉤状部の中心線のなす面と平行に回動自在の連結部６を設けたことで、鉤状部２１を支点として開けば、前記鉤状部２１の開口部が広がるため、従来品と比較してより直径の大きな安全杆を掛け止めることができ、また、従来品と同サイズであれば、安全杆を通過させる際に指と接触（指が邪魔になる）ことがなくなった。そして、安全杆１０を掛止している時は、前記鉤状部２１の上端係止部に係止させた前記先端係止部２ａと前記上端係止部にロック部材５を嵌めることで、開口部が開くことなくより安全に作業を行うことが可能となった。
【実施例４】
【００３０】
本考案の実施例を図４について説明すれば、安全帯のロープ用フックＤは、開口部と安全ベルトや安全ロープ３０を連結させるための孔４２とを有する鉤状部４１と、鉤状部の開口部を開閉するために該鉤状部の下端上部４１ｂに基端を回動自在に取付け、前記鉤状部の上端部に設けたコ字状の係止部４１ａに係止する開閉バー４３と、不使用時に前記開閉バー４３をロックするための安全レバー４４とからなる。前記開閉バー４３の基端４３ａは、断面コ字状として前記鉤状部の側端部４１ｂにバネを組み込んで軸４５で取付け、常時はバネによって、前記開口部を閉塞する方向に付勢するようにした（図４（ｂ）図示）。また、前記開閉バーの先端部４３ｂは背面及び一側面を欠いてなり、前記開閉バー４３を握った時に該開閉バーの先端部４３ｂ及び鉤状部４１が横方向に重なるようにした。また、前記安全レバー４４は、鉤状部４１に、バネを組み込んで揺動可能な状態にして取付け、常時はバネによって、前記安全レバー４４の下端部が鉤状部方向に付勢するようにした（図４（ｂ）図示）。また、前記安全レバー４４の下端部に軸４７を取り付け、不使用時は該軸４７に、前記開閉バーの下端側部４３ｃが係止されることで、前記開閉バー４３がロック状態となる（図４（ｂ）図示）。他方、使用に際して安全レバー４４の上側部を握った場合、前記開閉バーの下端側部４３ｃが、軸４７から外れ、該開閉バー４３を開け得る構成とした。
【００３１】
前記実施例において、安全杆等を掛け止める際、前記の開閉バー４３を握った時に、該開閉バーの先端部４３ｂ及び鉤状部４１が横方向に重なるようにしたことで、手の指の外側位置が従来品より低くなり、従来品と比較してより直径の大きな安全杆を掛け止めることができ、また、従来品と同サイズであれば、安全杆を通過させる際に指と接触(指が邪魔になる)することがなくなった。そして、安全杆等を掛止している時は、ストッパー部材により前記開閉バーがロック状態となり、開口部が開くことなくより安全に作業を行うことが可能となった。
【実施例５】
【００３２】
本発明の実施例を図５及び図６について説明すれば、安全帯のロープ用フックＤは、一本の線のバネ素材を互いに平行方向になるように一巻き屈曲して屈曲部３２とし、屈曲部側の一定部分を握部３１とし、該握部の先端の線を交差し、交差した線の先端側で夫々欠円状の二つの平行な鉤状部材３３ｃ、３３ｄからなる鉤状部３３を構成する。前記鉤状部材３３ｃ、３３ｄは開口部が互いに向き合うようにして、前記鉤状部材３３ｃ、３３ｄの基部にリング部３３ａ、３３ａを設けて、一方の鉤状部の先端を屈曲した掛止部３３ｂを他方の鉤状体のリング部３３ａに挿入し係止可能とした。また、前記掛止部３３ｂをリング部３３ａに入れるために、線の交差部分の分離を規制する、制限リング３５を取付けた。
【００３３】
前記実施例において、安全帯のロープ用フックＤの使用時は、まず、図５（ｂ）図示の通り、握部３１を握って鉤状部材３３ｃ、３３ｄ間に間隙を作って、安全杆１０を通し入れる。そして、安全杆１０を前記鉤状部材３３ｃ，３３ｄの各開口部を通過させる方向に安全帯のロープ用フックＤを９０度回転することで、安全杆１０を容易に掛止することができる。ここで、前記鉤状部材３３ｃの開口部は前記鉤状部材３３ｄを開閉部材とし、前記鉤状部材３３ｄの開口部は前記鉤状部材３３ｃを開閉部材として、各開口部を閉塞する（図６図示）。また、使用により屈曲部３２方向（矢示３６）に力を加えた際は、リング部３３ａ、３３ａに係止部３３ｂ、３３ｂが係止されるため、安全杆１０が意図せず外れることがない。
【図面の簡単な説明】
【００３４】
【図１】（ａ）本考案の実施例の平面図、（ｂ）同じく（ａ）の左方向の側面図、（ｃ）同じく（ａ）の一部の拡大断面図、（ｃ）同じく（ａ）の他の一部の拡大断面図。
【図２】（ａ）本考案の他の実施例の平面図、（ｂ）同じく（ａ）の左方向の側面図、（ｃ）同じく（ａ）図中Ａ−Ａ断面図。
【図３】（ａ）本考案の他の実施例の平面図、（ｂ）同じく（ａ）の左方向の側面図。
【図４】（ａ）本考案の他の実施例の平面図、（ｂ）同じく（ａ）のロック状態の平面図、（ｃ）同じく（ａ）の一部の斜視図。
【図５】（ａ）本考案の他の実施例の側面図、（ｂ）同じく（ａ）の握部を握った時の側面図、（ｃ）同じく（ａ）の平面図。
【図６】同じく図５（ａ）の一部の拡大図。
【符号の説明】
【００３５】
１、１１、２１、３３、４１  鉤状部
２、４、４３  開閉バー
２ａ、４ａ、４１ａ  係止部
３、４５、４６、４７  軸
５  ロック部材
６  連結部
７  ストッパー
８  板バネ
９  矢印
１０  安全杆
２０  手
２１ａ  握部
３０  ロープ
３１  握部
３２  屈曲部
３３ａ  リング部
３３ｂ  係止部
３３ｃ、３３ｄ  鉤状部材
３４  交差部
３５  制限リング
４２  孔
４４  安全レバー
【図１】
0003135752.tif 000003
【図２】
0003135752.tif 000004
【図３】
0003135752.tif 000005
【図４】
0003135752.tif 000006
【図５】
0003135752.tif 000007
【図６】
0003135752.tif 000008